(57)【特許請求の範囲】
【請求項１】
ボックス形状を有する証明写真撮影装置において、
ボックス本体と、
ボックス本体内に収納空間と撮影空間とを形成するよう設けられた内壁と、
収納空間内に配置された撮影装置と、を備え、
前記内壁には、撮影窓、操作部、照明部および非接触情報記憶媒体用リーダライタが設けられ、
前記非接触情報記憶媒体用リーダライタは、その撮影空間側表面が前記内壁の撮影空間側の表面から突出することなく、内壁に取り付けられており、
前記内壁のうち前記非接触情報記憶媒体用リーダライタに対応する部分に開口部が形成され、当該開口部に透明基材からなる透明基材部が嵌め込まれ、
前記非接触情報記憶媒体用リーダライタは、その撮影空間側表面が前記透明基材部を通して撮影空間側から視認されるよう前記内壁に取り付けられていることを特徴とする証明写真撮影装置。
【請求項２】
前記透明基材部と、前記非接触情報記憶媒体用リーダライタの撮影空間側表面との間に、０．１ｍｍ〜５ｍｍの隙間が形成されていることを特徴とする請求項１に記載の証明写真撮影装置。
【請求項３】
前記透明基材部の前記非接触情報記憶媒体用リーダライタ側表面の中心線表面粗さが０．２μｍ〜１０μｍの範囲内となっていることを特徴とする請求項１に記載の証明写真撮影装置。
【請求項４】
前記透明基材部の撮影空間側表面の中心線表面粗さが０．０５ｍｍ〜０．５ｍｍの範囲内となっていることを特徴とする請求項１乃至３のいずれかに記載の証明写真撮影装置。
【請求項５】
前記透明基材部は、撮影空間側に位置する第１透明板と、収納空間側に位置する第２透明板とを有し、当該第１透明板は前記内壁の開口部に嵌め込まれ、前記非接触情報記憶媒体用リーダライタは、これら第１透明板および第２透明板を通して撮影空間側から視認されるよう前記内壁に取り付けられ、
前記第２透明板は、前記内壁の開口部および前記第１透明板を収納空間側から覆う形状を有していることを特徴とする請求項１乃至４のいずれかに記載の証明写真撮影装置。
【請求項６】
前記第１透明板と前記第２透明板との間に、前記第１透明板を囲むシール部が介在されていることを特徴とする請求項５に記載の証明写真撮影装置。
【請求項７】
前記内壁は、前記ボックス本体の一方の側壁から他方の側壁へ向って延び、その一方の側壁側端部を中心として回動自在に設けられ、
前記内壁は、前記ボックス本体の一方の側壁に重なる位置まで回動することを特徴とする請求項１乃至６のいずれかに記載の証明写真撮影装置。
【発明の詳細な説明】
【技術分野】
【０００１】
本発明は、ボックス本体と、ボックス本体内に収納空間と撮影空間とを形成するよう設けられた内壁とを備えた証明写真撮影装置に係り、とりわけ、内壁に非接触情報記憶媒体用リーダライタが設けられている証明写真撮影装置に関する。
【背景技術】
【０００２】
近年、アンテナコイルとＩＣチップとを内蔵した非接触ＩＣカード（非接触情報記憶媒体）を用いたサービスが、日常社会において急速に普及してきている。非接触ＩＣカードは、ホスト装置に設けられた非接触ＩＣカード用リーダライタとの間において無線でデータ通信を行うことができる。このため、非接触ＩＣカードを財布などの中に入れたままの状態であってもデータ通信を行うことが可能となり、利便性が高い。このような利便性のため、非接触ＩＣカードを用いたサービスが、例えば交通機関の改札システムや、オフィスビルにおける入館・入室用システムなどにおいて利用されている。
【０００３】
また近年においては、このような非接触ＩＣカードを用いたサービスが、商品を販売する自動販売機における料金の決済手段としても用いられている。例えば特許文献１において、缶またはペットボトル入りの飲料を販売する自動販売機に設けられ、電子マネー情報が記憶された情報記憶媒体、例えば非接触ＩＣカードに対して決済処理を行うことの可能な非接触ＩＣカード用リーダライタ、および当該リーダライタを備えた自動販売機が提案されている。
【０００４】
図４（ａ）は、非接触ＩＣカード用リーダライタ１０１を備えた一般的な飲料用自動販売機１００を示す正面図であり、図４（ｂ）は、図４（ａ）に示す自動販売機１００を側方から見た場合を示す側面図である。図４（ａ）（ｂ）に示すように、飲料用自動販売機１００においては、一般に、非接触ＩＣカード用リーダライタ１０１は、自動販売機１００の前面１００ａから突出するよう配置されている。このように非接触ＩＣカード用リーダライタ１０１を自動販売機１００の前面１００ａから突出させることにより、非接触ＩＣカード（図示せず）を非接触ＩＣカード用リーダライタ１０１にかざす動作をより容易にすることが図られている。
【先行技術文献】
【特許文献】
【０００５】
【特許文献１】特開２００９−２０５６３２号公報
【発明の概要】
【発明が解決しようとする課題】
【０００６】
ところで、証明写真を撮影する証明写真撮影装置においても、より容易な料金決済を実現するため、上述の非接触ＩＣカード用リーダライタを設けることが求められている。証明写真撮影装置は、一般に、ボックス本体と、ボックス本体内に収納空間と撮影空間とを形成するよう設けられた内壁とを備えている。また一般に、証明写真を撮影する間、証明写真撮影装置内の撮影空間は遮光カーテンなどにより外部から遮蔽されている。
【０００７】
このような証明写真撮影装置においては、撮影の際に照明部からフラッシュが発せられる。ここで、非接触ＩＣカード用リーダライタが撮影空間側に向って内壁から突出するよう設けられている場合、照明部から発せられたフラッシュは、内壁から突出する非接触ＩＣカード用リーダライタにより様々な方向に反射される。この場合、非接触ＩＣカード用リーダライタにより様々な方向に反射されるフラッシュの方向を精度良く予測するのは困難である。このため、撮影の際、予測外の方向に反射されたフラッシュが、被撮影者の一部、例えば被撮影者が着用している眼鏡に映り込むという事態が生じることが考えられる。眼鏡にフラッシュが映り込んだ写真は、証明写真として不適切である。
【０００８】
本発明は、このような課題を効果的に解決し得る証明写真撮影装置を提供することを目的とする。
【課題を解決するための手段】
【０００９】
本発明は、ボックス形状を有する証明写真撮影装置において、ボックス本体と、ボックス本体内に収納空間と撮影空間とを形成するよう設けられた内壁と、収納空間内に配置された撮影装置と、を備え、前記内壁には、撮影窓、操作部、照明部および非接触情報記憶媒体用リーダライタが設けられ、前記非接触情報記憶媒体用リーダライタは、その撮影空間側表面が前記内壁の撮影空間側の表面から突出することなく、内壁に取り付けられていることを特徴とする証明写真撮影装置である。
【００１０】
本発明の証明写真撮影装置において、好ましくは、前記内壁のうち前記非接触情報記憶媒体用リーダライタに対応する部分に開口部が形成され、当該開口部に透明基材からなる透明基材部が嵌め込まれ、前記非接触情報記憶媒体用リーダライタは、その撮影空間側表面が前記透明基材部を通して撮影空間側から視認されるよう前記内壁に取り付けられている。
【００１１】
本発明の証明写真撮影装置において、好ましくは、前記透明基材部と、前記非接触情報記憶媒体用リーダライタの撮影空間側表面との間に、０．１ｍｍ〜５ｍｍの隙間が形成されている。
【００１２】
本発明の証明写真撮影装置において、好ましくは、前記透明基材部の前記非接触情報記憶媒体用リーダライタ側表面の中心線表面粗さが０．２μｍ〜１０μｍの範囲内となっている。
【００１３】
本発明の証明写真撮影装置において、好ましくは、前記透明基材部の撮影空間側表面の中心線表面粗さが０．０５ｍｍ〜０．５ｍｍの範囲内となっている。
【００１４】
本発明の証明写真撮影装置において、好ましくは、前記透明基材部は、撮影空間側に位置する第１透明板と、収納空間側に位置する第２透明板とを有し、当該第１透明板は前記内壁の開口部に嵌め込まれ、前記非接触情報記憶媒体用リーダライタは、これら第１透明板および第２透明板を通して撮影空間側から視認されるよう前記内壁に取り付けられ、前記第２透明板は、前記内壁の開口部および前記第１透明板を収納空間側から覆う形状を有している。
【００１５】
本発明の証明写真撮影装置において、好ましくは、前記第１透明板と前記第２透明板との間に、前記第１透明板を囲むシール部が介在されている。
【００１６】
本発明の証明写真撮影装置において、前記内壁は、前記ボックス本体の一方の側壁から他方の側壁へ向って延び、その一方の側壁側端部を中心として回動自在に設けられ、前記内壁は、前記ボックス本体の一方の側壁に重なる位置まで回動してもよい。
【発明の効果】
【００１７】
本発明によれば、ボックス形状を有する証明写真撮影装置は、ボックス本体と、ボックス本体内に収納空間と撮影空間とを形成するよう設けられた内壁と、収納空間内に配置された撮影装置と、を備えている。内壁には、撮影窓、操作部、照明部および非接触情報記憶媒体用リーダライタが設けられており、また非接触情報記憶媒体用リーダライタは、その撮影空間側表面が内壁の撮影空間側の表面から突出することなく、内壁に取り付けられている。このため、撮影の際のフラッシュが非接触情報記憶媒体用リーダライタに到達した場合であっても、非接触情報記憶媒体用リーダライタにより反射されたフラッシュの方向を精度良く予測することができる。従って、非接触情報記憶媒体用リーダライタにより反射されたフラッシュが、被撮影者が着用している眼鏡などに向かわないよう、証明写真撮影装置の形状などを適切に設計することが可能となる。このことにより、写真の撮影中、被撮影者の一部に、非接触情報記憶媒体用リーダライタにより反射されたフラッシュが映り込むのを防ぐことができる。
【図面の簡単な説明】
【００１８】
【図１】図１は、本発明の実施の形態における証明写真撮影装置の内壁を示す正面図。
【図２】図２は、本発明の実施の形態において、内壁に設けられた非接触ＩＣカード用リーダライタを示す側面図。
【図３】図３（ａ）は、本発明の実施の形態における証明写真撮影装置を示す斜視図、図３（ｂ）は、本発明の実施の形態において、証明写真撮影装置の全体構成から天井部を便宜的に取り除いた状態を示す平面図。
【図４】図４（ａ）は、非接触ＩＣカード用リーダライタを備えた一般的な飲料用自動販売機を示す正面図、図４（ｂ）は、図４（ａ）に示す自動販売機を側方から見た場合を示す側面図。
【発明を実施するための形態】
【００１９】
以下、図面を参照して、本発明の実施の形態について説明する。はじめに図３（ａ）（ｂ）を参照して、証明写真撮影装置１０全体について説明する。
【００２０】
証明写真撮影装置
図３（ａ）（ｂ）に示すように、ボックス形状を有する証明写真撮影装置１０は、ボックス本体１１と、ボックス本体１１内に収納空間１６と撮影空間１５とを形成するよう設けられた内壁２０とを備えている。また図３（ａ）（ｂ）に示すように、ボックス本体１１は、一方の側壁１１ｂと他方の側壁１１ｃとを有しており、このうち他方の側壁１１ｃには、後述するプリンタ１９によりプリントアウトされた証明写真を取り出す写真取出部１４、および被撮影者がボックス本体１１内部に出入する出入口１２が形成されている。図３（ａ）に示すように、出入口１２には、証明写真撮影を行う際に外部からの光を遮断する遮光カーテン１３が取り付けられている。
【００２１】
また図３（ｂ）に示すように、撮影空間１５内には、証明写真撮影中に被撮影者が座る椅子１７が設置され、また収納空間１６内には、内壁２０に設けられた撮影窓２１（後述）を介して被撮影者を撮影する撮影装置１８と、撮影した証明写真をプリントアウトするプリンタ１９とが配置されている。また後述するように、内壁２０には非接触ＩＣカード用リーダライタ３０が設けられている。
【００２２】
内壁
次に図１および図３（ｂ）を参照して、内壁２０について詳述する。前述のように、内壁２０は、ボックス本体１１内に収納空間１６と撮影空間１５とを形成する仕切り壁として機能するものである。この内壁２０は、図３（ｂ）に示すように、ボックス本体１１の一方の側壁１１ｂから他方の側壁１１ｃへ向って延びており、また、内壁２０の一方の側壁側端部２０ｂを中心として回動自在となるよう設けられている。より詳細には、図１に示すように、内壁２０の一方の側壁側端部２０ｂには回転軸部２７が取り付けられており、この回転軸部２７を中心として内壁２０が図３において矢印Ａで示す方向に回動する。このように内壁２０を回動自在に設けることにより、収納空間１６内に撮影装置１８などを容易に搬入することができる。
【００２３】
図１は、撮影空間１５側から見た場合の内壁２０を示す正面図である。図１に示すように、内壁２０には、撮影窓２１、操作部２２および非接触ＩＣカード用リーダライタ（非接触情報記憶媒体用リーダライタ）３０が設けられている。
【００２４】
このうち撮影窓２１は、収納空間１６内に設置された撮影装置１８によって撮影空間１５内の被撮影者を撮影する際の窓となる部分であり、椅子１７に腰掛けている被撮影者の顔の高さに対応する高さに形成されている。また操作部２２は、撮影に関する情報を表示するとともに、撮影に関する操作を行うものであり、例えば操作用タッチパネルからなる。なお撮影に関する情報は、操作部２２に表示されるとともに、操作部２２の下方に設けられたスピーカ２６を介して音声で被撮影者に提供される。
【００２５】
非接触ＩＣカード用リーダライタ３０は、アンテナ（図示せず）と送受信回路（図示せず）とを有している。これらアンテナおよび送受信回路を用いることにより、被撮影者が所有する非接触ＩＣカード（図示せず）との間で無線データ通信が行われ、これによって、非接触ＩＣカード内の情報記憶部の情報の読み取り、または情報記憶部への情報の書き込みが行われる。この場合、非接触ＩＣカード内の情報記憶部に電子マネーに関する情報を書き込んでおくことにより、証明写真撮影の決済を電子マネーによって行うことが可能となる。
【００２６】
また図１に示すように、内壁２０の上部には、撮影の際にフラッシュを発する照明部２３が設けられており、撮影窓２１の近傍には、証明写真撮影の決済を現金で行うための現金課金部２４が設けられている。図１に示すように、現金課金部２４は、紙幣投入部２４ａと、硬貨投入部２４ｂと、返却レバー２４ｃとからなる。また現金課金部２４の下方には、釣銭を返却する釣銭取出部２５が設けられている。
【００２７】
非接触ＩＣカード用リーダライタ
次に図２を参照して、非接触ＩＣカード用リーダライタ３０の構造について詳述する。
【００２８】
図２に示すように、非接触ＩＣカード用リーダライタ３０は、内壁２０と略平行となっている撮影空間側表面３０ａを有している。また非接触ＩＣカード用リーダライタ３０内には、非接触ＩＣカードと通信を行うためのアンテナ（図示せず）が撮影空間側表面３０ａに沿って配置されている。このような非接触ＩＣカード用リーダライタ３０が、図２に示すように、撮影空間側表面３０ａが内壁２０の撮影空間側表面２０ｄから突出しないよう内壁２０に取り付けられている。
【００２９】
より詳細には、図２に示すように、内壁２０のうち非接触ＩＣカード用リーダライタ３０に対応する部分には開口部２０ａが形成されており、この開口部２０ａには、透明基材からなる透明基材部３１が嵌め込まれている。そして非接触ＩＣカード用リーダライタ３０は、その撮影空間側表面３０ａが透明基材部３１を通して撮影空間１５側から視認されるよう内壁２０に取り付けられている。より詳細には、非接触ＩＣカード用リーダライタ３０は、図２に示すように、透明基材部３１に固定された支持板３６によって支持されている。
【００３０】
次に透明基材部３１についてより詳細に説明する。図２に示すように、透明基材部３１は、撮影空間１５側に位置する第１透明板３２と、収納空間１６側に位置する第２透明板３３とを有している。図２に示すように、第１透明板３２は、内壁２０の開口部２０ａに嵌め込まれており、また非接触ＩＣカード用リーダライタ３０は、その撮影空間側表面３０ａがこれら第１透明板３２および第２透明板３３を通して撮影空間１５側から視認されるよう内壁２０に取り付けられている。また図２に示すように、第２透明板３３は、固定具、たとえばボルト３５によって内壁２０に固定されており、この第２透明板３３は、内壁２０の開口部２０ａおよび第１透明板３２を収納空間１６側から覆う形状を有している。このため、雨などに起因する水分が内壁２０の撮影空間側表面２０ｄに付着した場合であっても、水分が収納空間１６に侵入するのを防ぐことができる。
【００３１】
透明基材部３１を構成する第１透明板３２および第２透明板３３としては、所定の透明性および強度を有するとともに、非接触ＩＣカード用リーダライタ３０からの電波を通すことができるものが用いられ、例えばアクリル板が用いられる。
【００３２】
好ましくは、図２に示すように、透明基材部３１の第２透明板３３と、非接触ＩＣカード用リーダライタ３０の撮影空間側表面３０ａとの間に隙間３７が形成されている。この隙間３７の間隔ｄは、可視光の波長よりも十分に大きくなるよう設定されており、例えば間隔ｄは０．１ｍｍ〜５ｍｍの範囲内となっている。第２透明板３３と、非接触ＩＣカード用リーダライタ３０の撮影空間側表面３０ａとの間にこのような隙間３７を形成することにより、第２透明板３３と非接触ＩＣカード用リーダライタ３０との間の光の干渉によって干渉縞が生じるのを防ぐことができる。
【００３３】
さらに好ましくは、透明基材部３１の第２透明板３３において、非接触ＩＣカード用リーダライタ側表面３３ｂの中心線表面粗さが０．２μｍ〜１０μｍの範囲内となっている。ここで第２透明板３３の非接触ＩＣカード用リーダライタ側表面３３ｂの中心線表面粗さとは、非接触ＩＣカード用リーダライタ側表面３３ｂにおいて、所定位置（中心線）から表面までの距離（凹凸）を所定範囲にわたって測定した場合の平均値のことである。非接触ＩＣカード用リーダライタ側表面３３ｂの中心線表面粗さを上述の範囲内とすることにより、第２透明板３３と非接触ＩＣカード用リーダライタ３０との間の光の干渉によって干渉縞が生じるのをより確実に防ぐことができる。
【００３４】
また好ましくは、透明基材部３１の第１透明板３２において、撮影空間側表面３２ａの中心線表面粗さが０．０５ｍｍ〜０．５ｍｍの範囲内となっている。このように第１透明板３２の撮影空間側表面３２ａを適度に荒らすことにより、被撮影者の非接触ＩＣカード（図示せず）が非接触ＩＣカード用リーダライタ３０に対してかざされる際、非接触ＩＣカードと透明基材部３１とが密着し、これによって非接触ＩＣカードが透明基材部３１から剥がし難くなるのを防ぐことができる。
【００３５】
図２に示すように、第１透明板３２と第２透明板３３との間には、第１透明板３２をとり囲むようパッキン（シール部）３４が介在されている。このようにパッキン３４を第１透明板３２と第２透明板３３との間に介在させることにより、撮影空間１５内の水分などが内壁２０の開口部２０ａを通って第１透明板３２と第２透明板３３との間に侵入した場合であっても、当該水分などが収納空間１６内に浸入するのをより確実に防ぐことができる。
【００３６】
パッキン３４の材料としては、水分などの浸入を適切に防ぐことができるものであれば特に限られず、例えば、天然ゴム、シリコンゴム、アクリルゴムなどの有機材料、またはセラミックなどの無機材料を挙げることができる。
【００３７】
次に、このような構成からなる本実施の形態の作用について説明する。ここでは、はじめに、非接触ＩＣカード用リーダライタ３０を内壁２０に取り付ける方法について説明し、次に、収納空間１６内に撮影装置１８などを搬入する方法について説明する。
【００３８】
非接触ＩＣカード用リーダライタの取り付け
はじめに、開口部２０ａが形成された内壁２０を準備する。次に、開口部２０ａに対応する形状を有する第１透明板３２を準備し、その後、この第１透明板３２を開口部２０ａに嵌め込む。この場合、図２に示すように、内壁２０の撮影空間側表面２０ｄの位置と、第１透明板３２の撮影空間側表面３２ａの位置とがほぼ一致するよう、第１透明板３２を開口部２０ａに嵌め込む。このように内壁２０の撮影空間側表面２０ｄの位置と第１透明板３２の撮影空間側表面３２ａの位置とをほぼ一致させることにより、第１透明板３２の撮影空間側表面３２ａが内壁２０の撮影空間側表面２０ｄから突出する場合に比べて、第１透明板３２およびその近傍において反射されるフラッシュの方向を精度良く予測することが可能となる。
【００３９】
第１透明板３２を内壁２０に対して固定する方法が特に限られることはなく、適宜公知の固定方法を用いることができ、例えば接着剤により第１透明板３２が内壁２０に対して固定される。
【００４０】
次に、第１透明板３２をとり囲む形状を有するパッキン３４と、内壁２０の開口部２０ａおよび第１透明板３２を収納空間１６側から覆う形状を有する第２透明板３３とを準備する。その後、図２に示すように、第１透明板３２と第２透明板３３との間にパッキン３４を介在させながら、ボルト３５により第２透明板３３を内壁２０に固定する。
【００４１】
次に、図２に示すように、内方へ向って水平に延びる支持板３６を第２透明板３３に取り付け、その後、支持板３６上に非接触ＩＣカード用リーダライタ３０を固定する。この場合、非接触ＩＣカード用リーダライタ３０は、その撮影空間側表面３０ａが第１透明板３２および第２透明板３３を通して撮影空間１５側から視認されるよう固定される。このようにして、撮影空間側表面３０ａを内壁２０の撮影空間１５側の表面から突出させることなく、非接触ＩＣカード用リーダライタ３０が内壁２０に取り付けられる。
【００４２】
このように本実施の形態によれば、証明写真撮影装置１０は、ボックス本体１１と、ボックス本体１１内に収納空間１６と撮影空間１５とを形成するよう設けられた内壁２０と、収納空間１６内に配置された撮影装置１８と、を備えている。内壁２０には、撮影窓２１、操作部２２、照明部２３および非接触ＩＣカード用リーダライタ３０が設けられており、また非接触ＩＣカード用リーダライタ３０は、その撮影空間側表面３０ａが内壁２０の撮影空間側表面２０ｄから突出することなく、内壁２０に取り付けられている。このため、撮影の際のフラッシュが非接触ＩＣカード用リーダライタ３０に到達した場合であっても、非接触ＩＣカード用リーダライタ３０により反射されたフラッシュの方向を精度良く予測することができる。従って、非接触ＩＣカード用リーダライタ３０により反射されたフラッシュが、被撮影者が着用している眼鏡などに向かわないよう、証明写真撮影装置１０の形状などを適切に設計することが可能となる。このことにより、写真の撮影中、被撮影者の一部に、非接触ＩＣカード用リーダライタ３０により反射されたフラッシュが映り込むのを防ぐことができる。
【００４３】
また、非接触ＩＣカード用リーダライタ３０が内壁２０の撮影空間側表面２０ｄから突出していないことにより、以下の２つの利点が更にもたらされる。１つは、被撮影者が証明写真撮影装置１０に出入する際、被撮影者の出入が非接触ＩＣカード用リーダライタ３０により妨げられることがないという利点である。この利点は、被撮影者が荷物を抱えている場合に特に顕著になる。もう１つは、証明写真撮影装置１０の内壁２０の意匠性が向上するという利点である。
【００４４】
また本実施の形態によれば、内壁２０のうち非接触ＩＣカード用リーダライタ３０に対応する部分には開口部２０ａが形成されており、この開口部２０ａには、透明基材からなる透明基材部３１が嵌め込まれている。そして非接触ＩＣカード用リーダライタ３０は、その撮影空間側表面３０ａが透明基材部３１を通して撮影空間１５側から視認されるよう内壁２０に取り付けられている。このように、非接触ＩＣカード用リーダライタ３０を、透明基材部３１を介して内壁２０に取り付けることにより、反射されたフラッシュの方向をより精度良く予測することができる。
【００４５】
さらに本実施の形態によれば、透明基材部３１は、撮影空間１５側に位置する第１透明板３２と、収納空間１６側に位置する第２透明板３３とを有している。このうち第１透明板３２は、内壁２０の開口部２０ａに嵌め込まれている。また、非接触ＩＣカード用リーダライタ３０は、その撮影空間側表面３０ａがこれら第１透明板３２および第２透明板３３を通して撮影空間１５側から視認されるよう内壁２０に取り付けられている。また、第２透明板３３は、内壁２０の開口部２０ａおよび第１透明板３２を収納空間１６側から覆う形状を有している。このため、第１透明板３２により容易に開口部２０ａを塞ぐことができるとともに、第２透明板３３により補強を行うことができる。このことにより、雨などに起因する水分が内壁２０の撮影空間側表面２０ｄに付着した場合であっても、水分が収納空間１６に侵入するのを防ぐことができる。
【００４６】
収納空間内への撮影装置などの搬入
次に、収納空間１６内へ撮影装置１８などを搬入する方法について説明する。はじめに、内壁２０の他方の側壁側端部２０ｃをボックス本体１１の他方の側壁１１ｃに対して固定しているロック（図示せず）を解除する。次に、内壁２０の一方の側壁側端部２０ｂに取り付けられている回転軸部２７を中心として、内壁２０をボックス本体１１の一方の側壁１１ｂ側に向って回動させる。これによって、収納空間１６が開放される。
【００４７】
このとき、上述のように、非接触ＩＣカード用リーダライタ３０は、その撮影空間側表面３０ａが内壁２０の撮影空間側表面２０ｄから突出することなく、内壁２０に取り付けられている。このため、内壁２０を本体１１の一方の側壁１１ｂ側に向って回動させる際、内壁２０がボックス本体１１の一方の側壁１１ｂに重なる位置まで回動する前に、非接触ＩＣカード用リーダライタ３０がボックス本体１１の一方の側壁１１ｂに当接することはない。すなわち、内壁２０の回動が非接触ＩＣカード用リーダライタ３０によって妨げられることはなく、従って、内壁２０を、ボックス本体１１の一方の側壁１１ｂに重なる位置まで回動させることが可能となる。このため、収納空間１６内へ撮影装置１８などを搬入する際の内壁の開放角をより大きくすることができ、このことにより、搬入作業をより容易にすることができる。
【００４８】
なお本実施の形態において、非接触ＩＣカード用リーダライタ３０が証明写真撮影装置１０の内壁２０に設けられている例を示した。しかしながら、これに限られることはなく、外部から遮蔽された空間内に非接触ＩＣカード用リーダライタ３０が設けられる任意の装置に対して本発明を適用することができる。
【００４９】
また本実施の形態において、非接触情報記憶媒体用リーダライタが非接触ＩＣカード用リーダライタ３０からなり、非接触ＩＣカード用リーダライタ３０により、被撮影者が所有する非接触ＩＣカードの情報記憶部の情報の読み取り、または情報記憶部への情報の書き込みが行われる例を示した。しかしながら、これに限られることはなく、非接触情報記憶媒体用リーダライタは、被撮影者が有する様々な非接触情報記憶媒体、例えば携帯電話の情報記憶部の情報の読み取り、または情報記憶部への情報の書き込みを行うものであってもよい。
【００５０】
また本実施の形態において、図２において二点鎖線で示すように、第１透明板が、撮影空間１５側に向うにつれて先細になる形状を有する第１透明板３２Ａからなっていてもよい。この場合、内壁２０の開口部２０ａは、第１透明板３２Ａの形状に対応するよう形成される。このような形状とすることにより、水分などが収納空間１６内に浸入するのをより確実に防ぐことができる。
【００５１】
また本実施の形態において、第１透明板３２が内壁２０に対して接着剤により固定され、第２透明板３３が内壁２０に対してボルト３５により固定される例を示した。しかしながら、これに限られることはなく、任意の公知の方法により第１透明板３２および第２透明板３３を内壁２０に対して固定することができる。
【００５２】
また本実施の形態において、透明基材部３１が、撮影空間１５側に位置する第１透明板３２と、収納空間１６側に位置する第２透明板３３とからなる例を示した。しかしながら、これに限られることはなく、例えば、開口部２０ａに嵌め込まれる部分と開口部２０ａを収納空間１６側から覆う部分とを有する単一のアクリルブロックによって透明基材部３１を構成してもよい。若しくは、３枚、またはそれ以上のアクリル板により透明基材部３１をしてもよい。
【００５３】
また本実施の形態において、非接触ＩＣカード用リーダライタ３０が、第２透明板３３から内方へ向って水平に延びる支持板３６により支持される例を示した。しかしながら、これに限られることはなく、任意の公知の方法により非接触ＩＣカード用リーダライタ３０を内壁２０に対して固定することができる。例えば、ボルトなどの固定具を用いて、非接触ＩＣカード用リーダライタ３０を内壁２０に直接に固定してもよく、または、透明基材部３１を介して内壁２０に固定してもよい。
【００５４】
また本実施の形態において、出入口１２がボックス本体１１の他方の側壁１１ｃに形成される例を示した。しかしながら、これに限られることはなく、出入口を、ボックス本体１１を構成する壁のうち撮影空間１５に面する壁の任意の位置に形成することができる。
【００５５】
また本実施の形態において、出入口１２に遮光カーテン１３が取り付けられている例を示した。しかしながら、これに限られることはなく、証明写真撮影を行う際に外部からの光を遮断することができる任意の開閉自在な遮蔽物、例えば扉などを出入口１２に取り付けることができる。
【符号の説明】
【００５６】
１０    証明写真撮影装置
１１    ボックス本体
１１ａ  天井部
１１ｂ  一方の側壁
１１ｃ  他方の側壁
１２    出入口
１３    遮光カーテン
１４    写真取出部
１５    撮影空間
１６    収納空間
１７    椅子
１８    撮影装置
１９    プリンタ
２０    内壁
２０ａ  開口部
２０ｂ  一方の側壁側端部
２０ｃ  他方の側壁側端部
２０ｄ  撮影空間側表面
２０ｅ  収納空間側表面
２１    撮影窓
２２    操作部
２３    照明部
２４    現金課金部
２４ａ  紙幣投入部
２４ｂ  硬貨投入部
２４ｃ  返却レバー
２５    釣銭取出部
２６    スピーカ
２７    回転軸部
３０    非接触ＩＣカード用リーダライタ
３０ａ  撮影空間側表面
３１    透明基材部
３１ａ  撮影空間側表面
３１ｂ  非接触ＩＣカード用リーダライタ側表面
３２    第１透明板
３２ａ  撮影空間側表面
３３    第２透明板
３３ｂ  非接触ＩＣカード用リーダライタ側表面
３４    パッキン
３５    ボルト
３６    支持板
３７    隙間
１００    飲料用自動販売機
１００ａ  前面
１０１    非接触ＩＣカード用リーダライタ
【図１】
0005445107.tif 000002
【図２】
0005445107.tif 000003
【図３】
0005445107.tif 000004
【図４】
0005445107.tif 000005